(57)【要約】【課題】把持したときに、精緻な滑り止め機能を得ることのできる釣竿用リールシートを提供する。【解決手段】釣竿用リールシート１を、筒状の薄肉樹脂製シート本体３と、このシート本体３の周方向所定位置に設けた、釣竿用リール５のリール脚部７を固定するためのリール取り付け部９と、から構成し、釣竿用リールシート１を握ったときに掌Ｅの小指球部分Ｆに当接して食い込む張り出し部３９を、シート本体３の外周面の竿尻側に、軸方向に延びるように形成しておく。【選択図】  図５
2004201513.tif 000002
【特許請求の範囲】
【請求項１】
筒状のシート本体の外周に、釣竿用リールのリール脚部を固定するためのリール取り付け部が設けられ、前記シート本体の所定個所を掌で把持できるように構成されている釣竿用リールシートであって、
前記シート本体の外周面には、このシート本体を把持した掌の小指球部分に当接して食い込む張り出し部が形成され、
前記張り出し部は、掌の小指球部分に、適当な軸方向長さにわたり当接して食い込むように設けられている、ことを特徴とする釣竿用リールシート。
【請求項２】
筒状のシート本体の外周に、釣竿用リールのリール脚部を固定するためのリール取り付け部が設けられ、前記シート本体の所定個所を掌で把持できるように構成されている釣竿用リールシートであって、
前記シート本体の外周面には、前記リール取り付け部と径方向反対側に、前記シート本体を把持した掌に当接して食い込む張り出し部が形成され、
前記張り出し部は、掌に、適当な軸方向長さにわたり当接して食い込むように設けられている、ことを特徴とする釣竿用リールシート。
【請求項３】
前記張り出し部は、掌の、内側個所から側縁にわたり当接して食い込むように設けられている、ことを特徴とする請求項１又は２記載の釣竿用リールシート。
【請求項４】
前記張り出し部は、竿先側端から、少なくとも、掌の側縁部又は側縁に当接して食い込む個所まで、漸次張り出し量が増大するように形成されている、ことを特徴とする請求項３記載の釣竿用リールシート。
【請求項５】
前記張り出し部は、竿先側端から、掌の側縁に当接して食い込む個所までの軸方向長さが３０ｍｍ以上となるように形成されている、ことを特徴とする請求項３又は４記載の釣竿用リールシート。
【請求項６】
前記張り出し部は、前記シート本体の幅方向対称位置に一対形成されている、ことを特徴とする請求項１又は２記載の釣竿用リールシート。
【発明の詳細な説明】
【０００１】
【発明の属する技術分野】
本発明は、釣竿用リールを固定するために釣竿の中間部に配置される釣竿用リールシートに関する。
【０００２】
【従来の技術】
釣竿は竿尻側に握り部を有しているが、釣竿用リールを装着した釣竿を用いて釣りを行うときは、釣竿を持つ手にかかる負担を軽減するために、握り部を把持せずに、釣竿の中間部に設けられた釣竿用リールシートを把持する場合が多い。
【０００３】
しかしながら、釣竿用リールシートを把持して釣竿を持つ手にかかる負担を軽減しても、釣竿の竿先から釣竿用リールシートまでの長さはそれ程短くないので、長時間にわたって片手のみで釣竿を支えたり、片手のみで釣竿を操作して魚を引き上げるのは困難である場合が多い。したがって、釣竿用リールシートを握った手にかかる負担を緩和するために、例えば、魚の当たりを待っているような状態の場合には、釣竿用リールシートを握りつつも竿尻側を肘に当接させたり、また、針に掛かった魚を引き上げる場合には、釣竿用リールシートを握りつつも竿尻を腹に当てるといったことが行なわれている。
【０００４】
ところで、ポイントに投擲した仕掛けを潮流に乗せて移動させ、魚を誘う場合のように、竿先を微妙に動かして操作する場合には、竿尻側を肘等に当接させていると、竿先の満足な操作が難しくなるため、釣竿用リールシートを把持した片手のみで釣竿を支え、竿尻側をフリーにした状態で操作を行うことが好ましい。しかしながら、釣竿用リールシートを把持した片手のみで釣竿を支えて竿先を操作すれば、釣竿用リールシートを把持している掌の前側又は中間位置を支点として釣竿に作用する大きな回転力により、操作中に掌内で釣竿用リールシートが滑って回転的に動いてしまうおそれがある。釣竿用リールシートが掌内で滑って回転的に動いてしまえば、釣竿の微妙な瞬間的操作に支障をきたすこととなる。
【０００５】
そこで、釣竿用リールシートを把持した片手のみで釣竿を支持しても、竿先の操作に支障が生じないようなものとして、手の小指側側縁に当接する突出部を竿尻側に形成した釣竿用リールシートが知られている（例えば特許文献１参照）。この釣竿用リールシートを用いれば、例えば、釣竿用リールシートを把持した片手のみで釣竿を支え、竿先を操作する場合に、釣竿用リールシートに回転力が作用しても、突出部が手の小指側側縁に引っ掛かるため、釣竿用リールシートが掌内で滑って竿先の微妙な操作ができないといったことが防止される。また、釣竿用リールシートを把持した片手のみでオーバーハンドの投擲を行うときにも、釣竿を比較的安定して支持することができる。
【０００６】
【特許文献１】
特開２００２−２６２７２６号公報（第２頁、図１）
【０００７】
【発明が解決しようとする課題】
しかしながら、この釣竿用リールシートでは、釣竿用リールシートに回転力が作用したときに、突出部が小指側側縁に当接し、そして、この小指側側縁の内側に入り込んでしまうおそれがあり、突出部が小指側側縁の内側に入り込んだ分だけ、掌内で釣竿用リールシートが微妙にずれる可能性がある。したがって、この釣竿用リールシートに構成された滑り止め構造は釣竿用リールシートの精緻な滑り止め機能を期待できるものではない。
【０００８】
そこで本発明は、把持したときに、精緻な滑り止め機能を得ることのできる釣竿用リールシートの提供を目的とする。
【０００９】
【課題を解決するための手段】
この目的を達成するための本発明の釣竿用リールシートは、筒状のシート本体の外周に、釣竿用リールのリール脚部を固定するためのリール取り付け部が設けられ、前記シート本体の所定個所を掌で把持できるように構成されている釣竿用リールシートであって、前記シート本体の外周面には、このシート本体を把持した掌の小指球部分（小指球又は小指球よりも多少小指寄り側の部分あるいは小指付け根よりも手首側の部分）に当接して食い込む張り出し部が形成され、前記張り出し部は、掌の小指球部分に、適当な軸方向長さにわたり当接して食い込むように設けられているものである。釣竿用リールシートのシート本体を把持すると、竿先側にかかる荷重は、掌の前側又は中間位置を支点として釣竿用リールシートに回転力を作用させる。通常は、リール取り付け部に指をまわし掛けるようにしてシート本体を把持するので、主に掌の小指球部分でこの回転力を受けることとなる。そこで、シート本体の、掌の小指球部分に対応する位置に、この小指球部分に当接して食い込む張り出し部を形成しておく。そして、張り出し部が、適当な軸方向長さにわたって小指球部分に当接して食い込むことにより高いグリップ効果が得られる。例えば、張り出し部が、小指球部分の全長（軸方向全長）又はほぼ全長、あるいは小指球部分の側縁側又は側縁部を除いた部分の全長又はほぼ全長にわたり当接して食い込むように構成する。本発明で達成される高いグリップ効果は、筒状のシート本体の外周に、釣竿用リールのリール脚部を固定するためのリール取り付け部が設けられ、前記シート本体の所定個所を掌で把持できるように構成されている釣竿用リールシートであって、前記シート本体の外周面には、前記リール取り付け部と径方向反対側に、前記シート本体を把持した掌に当接して食い込む張り出し部が形成され、前記張り出し部は、掌に、適当な軸方向長さにわたり、すなわち、十分な滑り止め機能が確保されるような軸方向長さにわたり当接して食い込むように設けられている釣竿用リールシートによっても達成される。
【００１０】
グリップ効果を高めるためには、張り出し部を、竿尻側の掌個所に至るまで掌に食い込ませることが必要である。したがって、張り出し部は、掌の、内側個所（側縁よりも掌中心側個所）から側縁にわたり当接して食い込むように設けられていることが好ましい。そして、張り出し部を、竿先側端から、少なくとも掌の側縁部又は側縁に当接して食い込む個所まで、漸次張り出し量が増大するように形成し、大きなグリップ効果を期待できない掌の内側での食い込み量を少なくして把持したときの違和感を抑えるとともに、大きなグリップ効果を期待できる掌の側縁部又は側縁での食い込み量を多くして精緻な又はより精緻な滑り止めを確保できるようにすることが効果的である。
【００１１】
張り出し部の、竿先側端から、掌の側縁に当接して食い込む個所までの軸方向長さは３０ｍｍ以上であることが好ましい。張り出し部の、竿先側端から、掌の側縁に当接して食い込む個所までの軸方向長さが３０ｍｍ未満では、張り出し部が掌の小指球部分ほぼ全長と係合しないので高い滑り止め効果を得ることができない。
【００１２】
張り出し部を、シート本体の幅方向対称位置に一対形成しておけば、使用者の利き腕が右でも左でも、同一の釣竿用リールシートを用いて、優れた回り止め機能を得ることができる。
【００１３】
【発明の実施の形態】
以下、本発明の実施の形態を図面を参照して説明する。
【００１４】
図１は本発明に係る第１の釣竿用リールシートの正面図、図２は第１の釣竿用リールシートの平面図、図３は第１の釣竿用リールシートの底面図、図４は第１の釣竿用リールシートの側面図である。
【００１５】
釣竿用リールシート１は、筒状の薄肉樹脂製又は筒状の樹脂製シート本体３と、このシート本体３の周方向所定位置（下面部）に設けられた、釣竿用リール５のリール脚部７を固定するためのリール取り付け部９と、から構成されていて、軸方向両側が、釣竿本体１１、１１の外周に嵌め付けられることにより、釣竿１３の所定位置に配置されるものである。
【００１６】
リール取り付け部９は、シート本体３の外周面の周方向所定位置（下面部）に形成された、軸方向に延びるほぼ平面状のリール取り付け面１５と、このリール取り付け面１５の竿先側端部位置で、シート本体３の外周に一体的に形成された固定フード１７と、リール取り付け面１５の竿尻側に設けられた可動フード機構１９と、を備え、可動フード機構１９は、リール取り付け面１５から多少陥没する状態でこのリール取り付け面１５の幅方向中間部に固定配置された、軸方向に延びる金属製の固定プレート部２１と、リール取り付け面１５の竿尻側端部位置から軸方向中央部位置まで延びるように、リール取り付け面１５の側縁に沿ってシート本体３の幅方向両側に形成されたガイド溝２３、２３と、このガイド溝２３、２３に沿って軸方向への移動が可能な可動フード２５と、から構成されている。固定プレート部２１には、幅方向に延びる係合溝２７が軸方向中央部から竿尻側端にわたって連続的に形成されている。可動フード２５は、フード本体２９と、このフード本体２９に回動可能に取り付けられ、起立状態で、フード本体２９の軸方向の移動を許容し、フード本体２９に被さった倒れ込み状態で、固定プレート部２１の係合溝２７と係合してフード本体２９を固定する固定部材３１と、を有している。
【００１７】
釣竿用リール５のリール脚部７をリール取り付け部９に固定するときは、リール脚部７の先端部に設けられている、前後方向（軸方向）に延びる固定取り付け部３３の前端部を固定フード１７内に挿入し、固定部材３１を起立させた状態で、固定取り付け部３３の後端部にきつく被さるようにフード本体２９を竿先側に移動させ、そして固定部材３１を倒れ込み状態に回転させてフード本体２９をシート本体３に固定する。固定取り付け部３３、したがって釣竿用リール５は、固定フード１７及びフード本体２９に挟まれて軸方向に位置決めされた状態でリール取り付け部９に固定される。
【００１８】
シート本体３はほぼ円筒状に形成されているが、外周面の軸方向中央部には鍔部３５が形成されている。鍔部３５は、稜線３７が、固定フード１７の開口部の幅方向両側からそれぞれ、竿尻側に傾斜しながら上面部（リール取り付け部９と径方向反対側の外周面）まで延びるように形成されているが、稜線３７はシート本体３の外周上面部又は上面部の幅方向中央個所では消滅している。
【００１９】
シート本体３の外周面の竿尻側には、上面部と側面部（下面部と上面部との間の外周面）との境界位置にそれぞれ、すなわち、シート本体３の軸心を通過する仮想垂直線と外周上面部又は上面部との交点から、周方向にほぼ４５度又は概略４５度ずれた位置にそれぞれ、あるいは周方向にほぼ４５度又は概略４５度ずれた位置を中心としてそれぞれ、張り出し部３９、３９が軸方向に延びるように形成されていて、それぞれの張り出し部３９は、リール取り付け部９の可動フード機構１９の軸方向中央部に対応する位置から、あるいは釣竿用リール５のリール脚部７を固定しているフード本体２９に対応する位置からシート本体３の竿尻側端部まで、３０ｍｍを超えてほぼ３５ｍｍの長さで延びている。それぞれの張り出し部３９は、竿先側端からほぼ軸方向中央まで漸次張り出し量が増大し、ほぼ軸方向中央から竿尻側端まで漸次張り出し量が減少するように形成され、ほぼ軸方向中央に最大張り出し個所４１を有している。それぞれの張り出し部３９、３９の最大張り出し個所４１、４１間の幅は、鍔部３５のそれぞれの稜線３７、３７間の幅よりも大きく、それぞれの張り出し部３９、３９の最大張り出し個所４１、４１間はシート本体３の最大幅個所を構成している。また、張り出し部３９、３９と、この張り出し部３９、３９間のシート本体３の上面部とは、最大張り出し個所４１位置で、曲率の小さい連続した円弧状曲面あるいはわずかに外側に膨らんで湾曲する連続した曲面を構成している。
【００２０】
図５は第１の釣竿用リールシート１を掌で把持した状態を示す正面図、図６は第１の釣竿用リールシート１を掌で把持した状態を示す側面図、図７は第１の釣竿用リールシート１を別の態様で把持した状態を示す正面図である。
【００２１】
第１の釣竿用リールシート１を握って釣竿１３を操作するときには、図５に仮想線で示すように、リール取り付け部９に固定された釣竿用リール５のリール脚部７を中指Ａと薬指Ｂとで挟み、親指Ｃをシート本体３の上面部に押し付けてシート本体３を把持する。そうすると、鍔部３５の稜線３７が人差し指Ｄと中指Ａとの間に入り込み、あるいは概略的には人差し指Ｄと中指Ａとの間に入り込み、人差し指Ｄに鍔部３５の竿先側が当接するため、掌Ｅの人差し指側のグリップ力が確保される。また、張り出し部３９が掌Ｅの小指球部分Ｆ（小指球又は小指球よりも多少小指側の部分あるいは小指付け根よりも下側部分）に３０ｍｍを越えた軸方向長さにわたって当接して食い込むので、掌Ｅの小指側のグリップ力が確保される。ここでは、張り出し部３９の竿尻側端は、掌Ｅの小指球部分Ｆの小指側側縁にほぼ一致して位置し、張り出し部３９の最大張り出し個所４１は、掌Ｅの小指球部分Ｆの小指側側縁手前に位置している。また、図７に示すように、親指Ｃをシート本体３の側面部に沿わせた場合には、張り出し部３９の小指球部分Ｆへの食い込み量が増大するので、より高いグリップ力を得ることができる。
【００２２】
図８は本発明に係る第２の釣竿用リールシートの正面図、図９は第２の釣竿用リールシートの平面図、図１０は第２の釣竿用リールシートの底面図、図１１は第２の釣竿用リールシートの側面図である。
【００２３】
第２の釣竿用リールシート４３は、第１の釣竿用リールシート１の構成を変更したものであり、同一の構造及び機能を有する部分は概略的には同一の符号を付して説明を省略する。第２の釣竿用リールシート４３は、第１の釣竿用リールシート１のシート本体３に形成された張り出し部３９の構成を変更したものである。第２の釣竿用リールシート４３のシート本体４５外周面には、竿尻側で、上面部と側面部との境界位置にそれぞれ、すなわち、シート本体４５の軸心を通過する仮想垂直線と外周上面部又は上面部との交点から周方向にほぼ４５度又は概略４５度ずれた位置にそれぞれ、あるいは周方向にほぼ４５度又は概略４５度ずれた位置を中心としてそれぞれ、張り出し部４７が軸方向に延びるように形成されていて、それぞれの張り出し部４７は、リール取り付け部９の可動フード機構１９の軸方向中央部に対応する位置から、あるいは釣竿用リール５のリール脚部７を固定しているフード本体２９に対応する位置からほぼシート本体４５の竿尻側端まで、５０ｍｍ程度の長さで延びている。それぞれの張り出し部４７は、竿先側端から竿尻側端部（又は竿尻側端部手前）まであるいは軸方向中央よりも竿尻側まで漸次張り出し量が増大するように形成され、竿尻側端部（又は竿尻側端部手前）あるいは軸方向中央よりも竿尻側で最大張り出し個所４９を有している。それぞれの張り出し部４７、４７の最大張り出し個所４９、４９間の幅は、鍔部３５のそれぞれの稜線３７、３７間の幅よりも大きく、それぞれの張り出し部４７、４７の最大張り出し個所４９、４９間はシート本体４５の最大幅個所を構成している。張り出し部４７の竿先側端から最大張り出し個所４９までの軸方向長さは、３０ｍｍ乃至６０ｍｍに設定することができる。また、張り出し部４７、４７と、この張り出し部４７、４７間のシート本体４５の上面部とは、最大張り出し個所４９位置で、曲率の小さい連続した円弧状曲面あるいはわずかに外側に膨らんで湾曲する連続した曲面を構成している。
【００２４】
図１２は第２の釣竿用リールシート４３を掌で把持した状態を示す正面図、図１３は第２の釣竿用リールシート４３を掌で把持した状態を示す側面図、図１４は第２の釣竿用リールシート４３を別の態様で把持した状態を示す正面図である。
【００２５】
第２の釣竿用リールシート４３を握って釣竿１３を操作するときには、図１２に仮想線で示すように、リール取り付け部９に固定された釣竿用リール５のリール脚部７を中指Ａと薬指Ｂとで挟み、親指Ｃをシート本体４５の上面部に押し付けてシート本体４５を把持する。そうすると、鍔部３５の稜線３７が概略的には人差し指Ｄと中指Ａとの間に入り込み、あるいは概略的には人差し指Ｄと中指Ａとの間に入り込み、人差し指Ｄに鍔部３５の竿先側が当接するため、掌Ｅの人差し指側のグリップ力が確保される。また、張り出し部４７が掌Ｅの小指球部分Ｆ（小指球又は小指球よりも多少小指側の部分あるいは小指付け根よりも下側部分）に３０ｍｍを越えた軸方向長さにわたって当接して食い込むので、掌Ｅの小指側のグリップ力が確保される。ここでは、張り出し部４７の最大張り出し個所４９が、掌Ｅの小指側側縁に食い込んで位置している。また、図１４に示すように、親指Ｃをシート本体４５の側面部に沿わせた場合には、張り出し部４７の小指球部分Ｆへの食い込み量が増大するので、より高いグリップ力を得ることができる。
【００２６】
【発明の効果】
以上説明したように、本発明の釣竿用リールシートを用いれば、掌内でシート本体が滑って回転的にずれてしまうことが効果的に防止される。
【図面の簡単な説明】
【図１】本発明に係る第１の釣竿用リールシートの正面図である。
【図２】第１の釣竿用リールシートの平面図である。
【図３】第１の釣竿用リールシートの底面図である。
【図４】第１の釣竿用リールシートの側面図である。
【図５】第１の釣竿用リールシートを掌で把持した状態を示す正面図である。
【図６】第１の釣竿用リールシートを掌で把持した状態を示す側面図である。
【図７】第１の釣竿用リールシートを別の態様で把持した状態を示す正面図である。
【図８】本発明に係る第２の釣竿用リールシートの正面図である。
【図９】第２の釣竿用リールシートの平面図である。
【図１０】第２の釣竿用リールシートの底面図である。
【図１１】第２の釣竿用リールシートの側面図である。
【図１２】第２の釣竿用リールシートを掌で把持した状態を示す正面図である。
【図１３】第２の釣竿用リールシートを掌で把持した状態を示す側面図である。
【図１４】第２の釣竿用リールシートを別の態様で把持した状態を示す正面図である。
【符号の説明】
１、４３                        釣竿用リールシート
３、４５                        シート本体
５                              釣竿用リール
７                              リール脚部
９                              リール取り付け部
３９、４７                      張り出し部
【図１】
2004201513.tif 000003
【図２】
2004201513.tif 000004
【図３】
2004201513.tif 000005
【図４】
2004201513.tif 000006
【図５】
2004201513.tif 000007
【図６】
2004201513.tif 000008
【図７】
2004201513.tif 000009
【図８】
2004201513.tif 000010
【図９】
2004201513.tif 000011
【図１０】
2004201513.tif 000012
【図１１】
2004201513.tif 000013
【図１２】
2004201513.tif 000014
【図１３】
2004201513.tif 000015
【図１４】
2004201513.tif 000016